(57)【要約】【課題】  一度の印刷指示で、グループ全員分の印刷物を、該グループ構成員の分類に対応した画像品質及び部数の内訳で印刷可能にする。【解決手段】  ホスト端末１０において、配布先情報管理ＴＢ１３１は、各学級に対応して色覚異常の程度別に人数と画像変換方法を保持する。ユーザが文書情報の印刷指示に際して行う配布先の学級の指示を配布先指定制御部１４４で受付け、特性別画像変換処理部１４５が配布先情報管理ＴＢ１３１から該配布先の学級に対応する色覚異常の程度別の画像変換方法を特定して文書情報をそれぞれ画像変換し、印刷ジョブ生成部１４２が配布先情報管理ＴＢ１３１から該配布先の学級に対応する色覚異常の程度別の人数を特定して、色覚異常の程度毎の画像変換後の文書情報の該程度別の人数に相当する部数の印刷指示を行なう。【選択図】  図２
2008090721.tif 000002
【特許請求の範囲】
【請求項１】
グループに対応して、該グループ構成員の分類別の人数と、該分類別の画像変換方法を保持する保持手段と、
前記グループを指定した文書の印刷指示に際し、前記保持手段に保持された該グループに対応する分類別の画像変換方法で前記文書の画像変換を行う画像変換手段と、
前記画像変換手段により画像変換された文書情報を、前記保持手段に保持された当該分類に属する人数に相当する部数づつ印刷制御する印刷制御手段と
を具備する情報処理装置。
【請求項２】
前記保持手段が保持する、グループ、該グループ構成員の分類別の人数、及び、該分類別の画像変換方法を変更する変更手段
を具備する請求項１記載の情報処理装置。
【請求項３】
前記保持手段は、
グループ内の色覚異常に関する程度別の人数と、前記色覚異常の各程度に対応する被変換色画像から変換色画像への色画像変換変換方法を保持し、
前記画像変換手段は、
前記色覚異常の各程度毎に、該色覚異常の各程度に対応する前記色画像変換方法で、前記印刷指示された文書の該当する被変換色画像を変換色画像に変換する
請求項１または２記載の情報処理装置。
【請求項４】
前記印刷制御手段は、
前記色覚異常の程度毎の前記画像変換後の文書情報に基づく印刷制御を行う度に、該印刷制御した当該色覚異常の程度に属する人数分の部数を、当該文書の印刷指示時の設定部数から順次減算して残印刷部数を更新し、
全ての色覚異常の程度に対応する前記画像変換後の文書情報に基づく印刷制御の終了後、前記文書を前記画像変換手段による画像変換を行なわずに前記残印刷部数分更に印刷制御する
請求項３記載の情報処理装置。
【請求項５】
情報処理装置と、
前記情報処理装置及び印刷装置に接続される印刷制御装置と
を有し、
前記情報処理装置は、
前記印刷制御装置に対し、グループを指定した文書の印刷指示を行う印刷指示手段
を備え、
前記印刷制御装置は、
グループに対応して、該グループ構成員の分類別の人数と、該分類別の画像変換方法を保持する保持手段と、
前記情報処理装置からのグループを指定した文書の印刷指示の受付けに際し、前記保持手段に保持された該グループに対応する分類別の画像変換方法で前記文書の画像変換を行う画像変換手段と、
前記画像変換手段により画像変換された文書情報を、前記保持手段に保持された当該分類に属する人数に相当する部数づつ前記印刷装置により印刷させる制御を行なう印刷制御手段と
を具備する印刷システム。
【請求項６】
前記保持手段は、
グループ内の色覚異常に関する程度別の人数と、前記色覚異常の各程度に対応する被変換色画像から変換色画像への色画像変換変換方法を保持し、
前記画像変換手段は、
前記色覚異常の各程度毎に、該色覚異常の各程度に対応する前記色画像変換方法で、前記印刷指示された文書の該当する被変換色画像を変換色画像に変換する
請求項５記載の印刷システム。
【請求項７】
前記印刷制御手段は、
前記色覚異常の程度毎の前記画像変換後の文書情報に基づく印刷制御を行う度に、該印刷制御した当該色覚異常の程度に属する人数分の部数を、当該文書の印刷指示時の設定部数から順次減算して残印刷部数を更新し、
全ての色覚異常の程度に対応する前記画像変換後の文書情報に基づく印刷制御の終了後、前記文書を前記画像変換手段による画像変換を行なわずに前記残印刷部数分更に印刷制御する
請求項５または６記載の印刷システム。
【請求項８】
グループに対応して、該グループ構成員の分類別の人数と、該分類別の画像変換方法を保持手段に保持し、
前記グループを指定した文書の印刷指示に際し、前記保持手段に保持された該グループに対応する分類別の画像変換方法で前記文書の画像変換を行う画像変換ステップと、
前記画像変換ステップにより画像変換された文書情報を、前記保持手段に保持された当該分類に属する人数に相当する部数づつ印刷制御する印刷制御ステップと
を含む印刷制御をコンピュータに実行させる印刷制御プログラム。
【発明の詳細な説明】
【技術分野】
【０００１】
本発明は、情報処理装置、印刷システム及び印刷制御プログラムに関する。
【背景技術】
【０００２】
プリンタの運用においては、文書情報を配布対象のグループの人数分の部数を印刷し、該印刷物を該グループのメンバ全員にそれぞれ配布する使い方が少なくない。
【０００３】
かかる運用において、プリンタがカラープリンタの場合、同一のカラー印刷物がグループの人数分印刷され、該グループの各人に配布されるのが一般的である。
【０００４】
一方で、配布対象のグループの中には、色覚異常者が存在することもある。この場合、色覚異常者は、色覚正常者と同じカラー印刷物の配布を受けた際に、カラー画像部分が見づらかったり、色を認識できないケースも生じる。
【０００５】
色覚異常者によるカラー印刷物の見づらさを軽減するために、下記特許文献１には、描画イメージを色覚異常者が見易いパターンに変換する複数の手段を有し、印刷実行時に変換パターンを指定することで、該指定に応じた描画イメージ変換処理を行って印刷する技術が開示されている。
【特許文献１】特開２００１−２９３９２６号公報
【発明の開示】
【発明が解決しようとする課題】
【０００６】
本発明は、一度の印刷指示で、配布対象のグループの全員分の印刷物を、該グループの構成員の分類別に該分類に対応した画像及び部数の内訳で印刷可能な情報処理装置、印刷システム及び印刷制御プログラムを提供することを目的とする。
【課題を解決するための手段】
【０００７】
上記目的を達成するために、請求項１記載の情報処理装置の発明は、グループに対応して、該グループ構成員の分類別の人数と、該分類別の画像変換方法を保持する保持手段と、前記グループを指定した文書の印刷指示に際し、前記保持手段に保持された該グループに対応する分類別の画像変換方法で前記文書の画像変換を行う画像変換手段と、前記画像変換手段により画像変換された文書情報を、前記保持手段に保持された当該分類に属する人数に相当する部数づつ印刷制御する印刷制御手段とを具備する。
【０００８】
請求項２記載の発明は、上記請求項１記載の発明において、前記保持手段が保持する、グループ、該グループ構成員の分類別の人数、及び、該分類別の画像変換方法を変更する変更手段を具備する。
【０００９】
請求項３記載の発明は、上記請求項１または２記載の発明において、前記保持手段は、グループ内の色覚異常に関する程度別の人数と、前記色覚異常の各程度に対応する被変換色画像から変換色画像への色画像変換変換方法を保持し、前記画像変換手段は、前記色覚異常の各程度毎に、該色覚異常の各程度に対応する前記色画像変換方法で、前記印刷指示された文書の該当する被変換色画像を変換色画像に変換する。
【００１０】
請求項４記載の発明は、上記請求項３記載の発明において、前記印刷制御手段は、前記色覚異常の程度毎の前記画像変換後の文書情報に基づく印刷制御を行う度に、該印刷制御した当該色覚異常の程度に属する人数分の部数を、当該文書の印刷指示時の設定部数から順次減算して残印刷部数を更新し、全ての色覚異常の程度に対応する前記画像変換後の文書情報に基づく印刷制御の終了後、前記文書を前記画像変換手段による画像変換を行なわずに前記残印刷部数分更に印刷制御する。
【００１１】
請求項５記載の印刷システムの発明は、情報処理装置と、前記情報処理装置及び印刷装置に接続される印刷制御装置とを有し、前記情報処理装置は、前記印刷制御装置に対し、グループを指定した文書の印刷指示を行う印刷指示手段を備え、前記印刷制御装置は、グループに対応して、該グループ構成員の分類別の人数と、該分類別の画像変換方法を保持する保持手段と、前記情報処理装置からのグループを指定した文書の印刷指示の受付けに際し、前記保持手段に保持された該グループに対応する分類別の画像変換方法で前記文書の画像変換を行う画像変換手段と、前記画像変換手段により画像変換された文書情報を、前記保持手段に保持された当該分類に属する人数に相当する部数づつ前記印刷装置により印刷させる制御を行なう印刷制御手段とを具備する。
【００１２】
請求項６記載の発明は、上記請求項５記載の発明において、前記保持手段は、グループ内の色覚異常に関する程度別の人数と、前記色覚異常の各程度に対応する被変換色画像から変換色画像への色画像変換変換方法を保持し、前記画像変換手段は、前記色覚異常の各程度毎に、該色覚異常の各程度に対応する前記色画像変換方法で、前記印刷指示された文書の該当する被変換色画像を変換色画像に変換する。
【００１３】
請求項７記載の発明は、上記請求項５または６記載の発明において、前記印刷制御手段は、前記色覚異常の程度毎の前記画像変換後の文書情報に基づく印刷制御を行う度に、該印刷制御した当該色覚異常の程度に属する人数分の部数を、当該文書の印刷指示時の設定部数から順次減算して残印刷部数を更新し、全ての色覚異常の程度に対応する前記画像変換後の文書情報に基づく印刷制御の終了後、前記文書を前記画像変換手段による画像変換を行なわずに前記残印刷部数分更に印刷制御する。
【００１４】
請求項８記載の印刷制御プログラムの発明は、グループに対応して、該グループ構成員の分類別の人数と、該分類別の画像変換方法を保持手段に保持し、前記グループを指定した文書の印刷指示に際し、前記保持手段に保持された該グループに対応する分類別の画像変換方法で前記文書の画像変換を行う画像変換ステップと、前記画像変換ステップにより画像変換された文書情報を、前記保持手段に保持された当該分類に属する人数に相当する部数づつ印刷制御する印刷制御ステップとを含む印刷制御をコンピュータに実行させる。
【発明の効果】
【００１５】
請求項１、５及び８記載の各発明によれば、本構成を有しない場合に比較して、一度の印刷指示で、配布対象のグループの全員分の印刷物を、該グループの構成員の分類別に該分類に対応した画像品質及び部数の内訳で印刷でき、印刷指示を行う時に、画像変換方法を指定する煩わしさがない。
【００１６】
請求項２記載の発明によれば、配布対象のグループの全員分の印刷物を、該グループの構成員の分類別に該分類に対応した画像品質及び部数の内訳で印刷する際、グループの構成員の入れ替り等にも柔軟に対応できる。
【００１７】
請求項３及び６記載の各発明によれば、本構成を有しない場合に比較して、色覚の異常な生徒が混在する学級を対象に、一回の印刷指示を行なうだけで、色覚が正常な生徒にそれぞれ配布するための必要部数の印刷物と、色覚が異常でかつ色覚異常の程度が異なる生徒にそれぞれ配布するための、それぞれの色覚異常の程度にとって見づらい画像が見易い色の画像に変換された必要な部数の印刷物とを簡単に印刷できる。
【００１８】
請求項４及び７記載の各発明によれば、配布先として指定したグループの色覚異常者の色覚異常の程度に対応した画像品質及び部数の内訳で印刷物を印刷できると共に、更に、文書情報を画像変換無しで印刷することにより、該グループ内の色覚正常者に配布する当該色覚正常者分の印刷物も同時に印刷できる。
【発明を実施するための最良の形態】
【００１９】
以下、本発明の実施形態について添付図面を参照して詳細に説明する。
【実施例１】
【００２０】
図１は、実施例１に係わる印刷システムの全体構成を示すブロック図である。
【００２１】
この印刷システムは、文書の編集や管理、印刷要求（印刷ジョブ）送出等の文書処理機能を有するホスト端末１０と、ホスト端末１０から印刷ジョブを受信し、該印刷ジョブに基づき該印刷ジョブ中の印刷データを記録媒体（記録用紙）印刷して出力するプリンタ２０とをＬＡＮケーブル等の伝送路３０を介して構成される。
【００２２】
この印刷システムにおいて、ホスト端末１０は、例えば、Ｒ（赤），Ｇ（緑），Ｂ（青）等から成るカラー情報を含む文書情報を作成し、該文書情報の印刷要求（印刷ジョブ）を行う処理機能を有するものであり、プリンタ２０は、ホスト端末１０から送出された印刷ジョブを受信して該印刷ジョブ中の印刷データをカラー画像として印刷可能なカラープリンタにより実現される。
【００２３】
図２は、実施例１に係わるホスト端末１０の機能構成を示すブロック図である。
【００２４】
ホスト端末１０は、例えば、ＰＣ（パーソナル・コンピュータ）により実現され、図２に示すように、キーボードやマウス等の入力デバイスから成る入力／操作部１１、操作ガイダンスや動作状態等の各種情報を表示する表示部１２、動作プログラム等の各種情報を記憶する記憶部１３、装置全体の制御を行う制御部１４、伝送路３０を介してプリンタ２０と通信する際の通信インタフェースを司る外部インタフェース（Ｉ／Ｆ）部１５を備えて構成される。
【００２５】
ホスト端末１０において、記憶部１３には、該ホスト端末１０の印刷制御を通じてプリンタ２０により印刷される印刷物を配布する対象のグループに対応して、該グループを構成するメンバの所定の特性による分類と、各特性分類に属するメンバの人数と、各特性分類に対応する画像変換方法とを含む配布先情報を保持（格納）する配布先情報管理テーブル（ＴＢ）１３１が設けられる。
【００２６】
また、ホスト端末１０において、制御部１４には、入力／操作部１１での所定の操作に応じて文書情報（文書ファイル）などの操作、保存、表示、編集、印刷指示操作などの処理を行うアプリケーション部１４１、入力／操作部１１での所定の印刷指示操作に基づき文書ファイルの印刷データとその処理命令から成る印刷ジョブを生成してプリンタ２０に送出する印刷ジョブ生成部１４２、記憶部１３に設けられる配布先情報管理ＴＢ１３１を用いて複数のグループに対応する上記配布先情報を管理（登録並びに更新）する配布先情報管理部１４３、利用者（ユーザ）が文書情報の印刷指示を行なう際に、該文書情報に基づく印刷物の配布対象（配布先）のグループ指定を受付ける等の制御を行う配布先指定制御部１４４、指定された配布先のグループに対応して配布先情報管理ＴＢ１３１に保持される配布先情報（該グループを構成するメンバの特性分類と、各特性分類毎のメンバの人数と、各特性分類に対応する画像変換方法等の情報）を検索し、該各特性別に、各特性に対応した画像並びに部数で、該グループ全員分の印刷物を印刷出力できるように、ユーザにより印刷指示された文書情報に対する特性別の画像変換処理を施す特性別画像変換処理部１４５が設けられる。
【００２７】
図３は、実施例１に係わるプリンタ２０の機能構成を示すブロック図である。
【００２８】
図３に示すように、プリンタ２０は、伝送路３０を介してホスト端末１０と通信する際の通信インタフェースを司る外部インタフェース（Ｉ／Ｆ）部２１、外部  Ｉ／Ｆ部２１を通じてホスト端末１０から受信した印刷ジョブから抽出した印刷データや動作プログラム等の各種情報を記憶する記憶部２２、受信した印刷データを画像処理して得られる印刷イメージデータに基づき電子写真プロセスを実行して記録媒体（記録用紙）に画像を形成（印刷）する画像形成部２３、タッチパネル機能を有する大型ビットマップディスプレイ等から成る表示／操作部２４、装置全体の制御を行なう制御部２５を具備して構成される。
【００２９】
プリンタ２０において、制御部２５には、ホスト端末１０から外部  Ｉ／Ｆ部２１を通じて受信した印刷ジョブの解析、及び、該解析結果に基づく印刷イメージデータの生成処理を行う印刷ジョブ解析部２５１、印刷イメージデータを画像形成部２３に送信して記録媒体上に画像を印刷出力させる印刷制御部２５２が設けられる。
【００３０】
この印刷システムは、例えば、学校の職員室に設置され、ある学年あるいは学級を受け持つ先生が、該学年あるいは学級の生徒に配布するプリント（印刷物）を印刷するために用いられる。ここで、プリンタ２０はカラープリンタであることから、配布するプリントしてはカラープリントも印刷できる。
【００３１】
この印刷システムの運用において、カラープリントを印刷して配布する場合、先生は、自分が受け持つ学年あるいは学級の生徒の中で色覚異常者が、色覚異常の程度毎に何人いるかを調べ、これら色覚異常の程度毎の人数の情報を含む配布先情報を、事前に、配布先情報管理ＴＢ１３１に登録しておく必要がある。
【００３２】
図４は、配布先情報管理ＴＢ１３１に登録される配布先情報の一例を示す表図である。
【００３３】
図４に例示する配布先情報管理ＴＢ１３１には、例えば、小学校の第一学年の各学級（Ａ組、Ｂ組、Ｃ組、…）に対応して、色覚異常の程度（程度１、程度２、程度３、程度４、…）毎に該各程度に属する人数が登録されている。
【００３４】
また、色覚異常の程度（程度１、程度２、程度３、程度４、…）に対応して、それぞれ、画像の色に関する変換方法（文書情報中の被変換色画像から変換色画像への色画像変換方法）が登録されている。具体的に、この例では、色覚異常の程度＝「程度１」に対しては、水色を灰色に変換すると共に、灰色をピンク色に変換する画像変換方法ａが、色覚異常の程度＝「程度２」及び「程度３」に対しては、青緑色を灰色に変換する画像変換方法ｂ及びｃが、色覚異常の程度＝「程度４」に対しては、赤色を緑色に変換する画像変換方法ｄが、それぞれ、登録されている。
【００３５】
配布先情報管理ＴＢ１３１に対する配布先情報の登録は、ホスト端末１０の配布先情報管理部１４３による処理により行なうことができる。
【００３６】
図５は、ホスト端末１０の配布先情報管理部１４３による配布先情報管理ＴＢ１３１への配布先情報の登録（更新）処理を示すフローチャートである。
【００３７】
配布先情報管理部１４３は、例えば、アプリケーション部１４１の制御下の配布先情報登録アプリケーションとして備わるものであり、ユーザ（学年あるいは学級担任の先生）が、例えば、表示部１２に表示される画面（デスクトップ画面）上の対応するアイコンを選択指定することにより起動され（ステップＳ１０１）、「登録開始」ボタン等を含むメニュー画面が表示される。
【００３８】
メニュー画面の表示中、配布先情報管理部１４３は、「登録開始」ボタンの押下等による配布先情報の登録開始操作があったか否かを監視する（ステップＳ１０３）。
【００３９】
ここで、ユーザによって、配布先情報登録開始操作が行なわれると（ステップＳ１０３ＹＥＳ）、配布先情報管理部１４３は、配布先情報管理ＴＢ１３１からその時点で登録されている情報を読み出して表示部１２に一覧表示する（ステップＳ１０５）。
【００４０】
ここで、表示部１２に表示される一覧表示画面は、図４に示す配布先情報管理ＴＢ１３１における各情報項目〔各学級毎の色覚異常の程度（「程度１」，「程度２」，「程度３，…」）、各「程度」別の人数、各「程度」に対応する画像変換方法〕に対応する情報入力欄を有し、所望の情報項目に対応する情報入力欄を選んで該情報入力欄に所望の情報（該当する項目の情報）をそれぞれ入力できる構成となっている。
【００４１】
上記一覧表画面の表示中、配布先情報管理部１４３は、該画面上に設けられる、例えば、「登録完了」ボタンの押下操作等による登録終了操作が行なわれた否かを監視し（ステップＳ１０７）、登録終了操作が行なわれない場合（ステップＳ１０７ＮＯ）は、更に、該一覧表示画面情の各情報入力欄に対する登録情報（または、変更情報）の入力がなされたか否かを監視する（ステップＳ１０９）。
【００４２】
ここで、登録情報（または、変更情報）がユーザによって入力されると（ステップＳ１０９ＹＥＳ）、該入力された情報を、配布先情報管理ＴＢ１３１の該当する情報項目の欄に登録し（ステップＳ１１１）、以後、登録終了操作がなされない間（ステップＳ１０７ＮＯ）は、同様にして、入力された登録情報（または、変更情報）の登録（更新）処理を続ける（ステップＳ１０９ＹＥＳ→Ｓ１１１）。
【００４３】
そして、この間、登録終了操作がなされた場合（ステップＳ１０７ＹＥＳ）、一覧表示画面を閉じ、一連の登録（更新）処理を終了する。
【００４４】
このように、ホスト端末１０では、配布先情報管理部１４３の処理により、配布先情報管理ＴＢ１３１に対する配布先情報の更新を適宜行なうことができる。
【００４５】
ここで、上記ステップＳ１０５で表示される一覧表画面上で、学級、学級毎の色覚異常の「程」度、「程度」別の人数、各「程度」に対応する欄を追加設定し、該各欄に該当項目の情報の値を入力することにより、未登録のグループ（学級）の情報（配布先情報）を新規に登録できることはいうまでもない。
【００４６】
なお、配布先情報管理部１４３は、配布先情報登録アプリケーションとして実装するのに限らず、アプリケーション部１４１の制御下で動作する文書処理アプリケーションの一処理機能として設けるようにしても良い。
【００４７】
次に、図５に示す登録（更新）処理によって、配布先情報管理ＴＢ１３１に、例えば、図４に示す内容の配布先情報（この例では、第一学年の各学級に対応する色覚異常の程度別の人数及び画像変換方法の情報）が登録されている時のホスト端末１０における印刷処理動作について説明する。
【００４８】
図６は、この印刷システムのホスト端末１０における印刷処理動作を示すフローチャートである。
【００４９】
図６に示すように、ホスト端末１０では、ユーザによる入力／操作部１１での所望のアプリケーション（文書処理アプリケーション）の選択起動操作に応じて、アプリケーション部１４１が該アプリケーションを起動する（ステップS２０１）。
【００５０】
以後、このアプリケーションは、アプリケーション部１４１の制御下で、ユーザによる印刷を希望する文書情報の選択操作に応じて、該アプリケーションが管理している文書情報の中から該選択された文書情報を読み出してその編集画面を表示する文書情報選択処理（ステップＳ２０２）と、編集画面上での該当メニューボタン（「印刷」ボタン）の操作に応じて、例えば、図７に示すような印刷設定画面１２１を開いてユーザからの印刷設定（印刷制御情報）の入力を受付ける処理（ステップＳ２０３）を実施する。
【００５１】
ここで、該アプリケーションがサポートする印刷設定画面１２１には、図７に示すように、印刷部数、レイアウト（縦／横）、用紙サイズ（Ｂ４，Ａ４，Ｂ５，…）、拡大／縮小（１枚当たりの頁数，用紙サイズ指定）、印刷範囲（全頁，現在の頁，指定頁）等の一般的な設定項目の入力欄の他、印刷物の配布先を指定する配布先指定欄が設けられる。
【００５２】
この配布先指定欄は、図６のステップＳ２０８〜Ｓ２１４の処理に相当する特性別画像変換連続印刷モード〔印刷指示した文書情報を、配布先（例えば、ある学級）の構成メンバ（生徒）の特性分類（色覚異常の程度）別に画像変換して該各特性分類に属する人数分ずつ連続的に印刷するモード〕の起動を指示する機能を兼ねるもので、この例では、特性別画像変換連続印刷モード（以下、画像変換印刷モード）を起動するか否かを指示するチェック・ボックス（ＣＢ）と、該ＣＢに付随して設けられ、選択候補である、例えば、第一学年における各学級の中からいずれかの学級を配布先として選択指定できるコンボ・ボックス（ＣＭＢと略称）とにより構成される。
【００５３】
これにより、ユーザは、例えば、第一学年のＡ組に配布するプリントを印刷する場合、上記ステップＳ２０２で印刷対象の文書情報を選択し、上記ステップＳ２０３で印刷部数として該Ａ組の人数（例えば、４０人）に対応する印刷部数＝４０部を指定する等の印刷設定を行った後、更に、配布先指定欄の“画像変換印刷指定”チェック・ボックスにチェックを入れ、かつ、付随のコンボ・ボックスを操作して第一学年Ａ組を選択することで、該第一学年Ａ組を配布先として指定することができる。
【００５４】
一方、配布先指定制御部１４４は、印刷設定画面１２１上の配布先指定欄を用いて行われる配布先選択指定操作を監視して該配布先の指定を受付け（ステップＳ２０４）、該受付けた配布先（この例では、第一学年のＡ組）の情報を、配布先情報管理ＴＢ１３１の検索キーとして保持する。
【００５５】
上記ステップＳ２０２、Ｓ２０３及びＳ２０４での文書情報の選択、印刷設定及び配布先指定の受付処理を続けながら、アプリケーション部１４１は、印刷設定画面１２１上で「開始」ボタンを押下する等の印刷開始指示操作が行われたか否かを監視する（ステップＳ２０５）。
【００５６】
この間、印刷開始指示操作が行なわれると（ステップＳ２０５ＹＥＳ）、印刷ジョブ生成部１４２は、上記ステップＳ２０２で選択された文書情報（カラー文書情報）を上記ステップＳ２０３で指定された印刷設定で印刷する処理命令を含む印刷ジョブの生成準備を行う。
【００５７】
その際、印刷設定と共に、印刷物の配布先の指定があるか否か（配布先の情報が保持されているか否か）をチェックし（ステップＳ２０６）、配布先の指定がないと判別された場合（ステップＳ２０６ＮＯ）は、通常の印刷制御（ステップＳ２２１）を行う。
【００５８】
この通常の印刷制御において、印刷ジョブ生成部１４２は、上記ステップＳ２０２で選択された文書情報を基に印刷データを生成すると共に、該印刷データと印刷部数を４０部とする処理命令を含む印刷ジョブを生成してプリンタ２０に送出し、該プリンタ２０に該印刷ジョブに基づき印刷物（文書情報に対応する画像）を指定部数（４０部）分印刷出力させる。
【００５９】
これに対し、印刷物の配布先の指定があると判別された場合（ステップＳ２０６ＹＥＳ）は、保持している配布先の情報（識別情報）を抽出して該配布先を判別する（ステップＳ２０７）。
【００６０】
次いで、特性別画像変換処理部１４５は、判別された配布先に対応して配布先情報管理ＴＢ１３１に格納されている配布先情報をチェックする（ステップＳ２０８）。
【００６１】
具体的には、今回の配布先として指定された、例えば、第一学年のＡ組の「色覚異常の程度」の欄を「程度１」から順に検索済か否かをチェックしていく。
【００６２】
これにより、配布先である第一学年のＡ組に対応する「色覚異常の程度」欄中、例えば、「程度１」の欄が未検索であれば（ステップＳ２０９ＹＥＳ）、該「程度１」の欄の人数が“０”でないかどうかを調べ（ステップＳ２１０）、人数が“０”であれば（ステップＳ２１０ＮＯ）、ステップＳ２０９に戻る。
【００６３】
また、該「程度１」の欄の人数が“０”でない場合（ステップＳ２１０ＹＥＳ）、特性別画像変換処理部１４５は、配布先情報管理ＴＢ１３１中から、該「程度１」に対応する画像変換方法ａを特定し、上記ステップＳ２０２で選択された文書情報を該画像変換方法ａで変換する（ステップＳ２１１）。
【００６４】
ここで、上記ステップＳ２０２でユーザにより選択された文書情報が、Ｒ，Ｇ，Ｂから成るカラー画像領域を有するものであり、プリンタ２０が、例えば、Ｙ（イエロー），Ｍ（マゼンタ），Ｃ（シアン），Ｋ（黒）の各色のトナーを用いて色画像を記録用紙上に形成する画像形成部２３を有するものとする。
【００６５】
この場合、特性別画像変換処理部１４５は、上記ステップＳ２１１において、ステップＳ２０２でユーザにより選択された文書情報から、Ｒ，Ｇ，Ｂによって成るカラー画像領域のうち、色覚異常の程度＝「程度１」に対応して特定した画像変換方法ａの被変換色（水色及び灰色）に相当する領域を抽出すると共に、該領域を、当該画像変換方法ａの変換色（水色に対しては灰色、灰色に対してはピンク）に相当する色で表現可能なＹ，Ｍ，Ｃ，Ｋの各色成分の画像に変換する。
【００６６】
その後、該画像変換後の文書情報と今回検索済みの色覚異常の程度＝「程度１」の人数を印刷ジョブ生成部１４２に渡す。
【００６７】
これにより、印刷ジョブ生成部１４２は、画像変換後の文書情報を基に印刷データを生成すると共に、該印刷データを当該色覚異常の程度＝「程度１」の人数分に相当する部数を印刷する処理命令を含む印刷ジョブを生成し、該印刷ジョブをプリンタ２０に送出する（ステップＳ２１２）。
【００６８】
一方、印刷ジョブの送信先のプリンタ２０では、ホスト端末１０から送られた印刷ジョブを受信し、印刷ジョブ解析部２５１で該印刷ジョブを解析して印刷イメージデータを生成し、印刷制御部２５２が該印刷イメージデータを画像形成部２３に転送して該印刷イメージデータに基づく画像を記録媒体（用紙）に印刷して出力させる動作を印刷部数に達するまで実行させる。
【００６９】
上記ステップＳ２１２で、印刷ジョブ〔今回検索済みの色覚異常の程度＝「程度１」に対応して画像変換した文書情報に基づく当該色覚異常の程度＝「程度１」の人数分の部数の印刷指示〕を送信した後、印刷ジョブ生成部１４２は、上記ステップＳ２０３の印刷設定により指定された印刷部数、すなわち、設定部数（＝Ｎ）から、今回印刷指示した部数（＝ｎ）を減算することにより、印刷部数Ｎを（Ｎ＝Ｎ−ｎ）に更新する（ステップＳ２１２）。
【００７０】
その後、印刷ジョブ生成部１４２は、ステップＳ２０９に戻り、ここで、「色覚異常の程度」欄中、「程度２」，「程度３」，…のいずれかの欄が未検索であると判別される（ステップＳ２０９ＹＥＳ）の間は、上述した通りの手順に従い、その都度（各回毎に）、未検索と判別された「程度２」，「程度３」，…の欄の人数が“０”でないかどうかを調べ（ステップＳ２１０）、人数が“０”でなければ（ステップＳ２１０ＹＥＳ）、上記ステップＳ２０２で選択された文書情報を、該「程度２」，「程度３」，…に対応する画像変換方法ｂ，ｃ，…で変換し（ステップＳ２１１）、その後、「程度２」，「程度３」，…の欄の人数を読取り、対応する画像変換方法ｂ，ｃ，…で画像変換した後の文書情報を基に印刷データを生成すると共に、該印刷データを当該「程度２」，「程度３」，…の人数分に相当する部数を印刷する処理命令を含む印刷ジョブを生成し、該印刷ジョブをプリンタ２０に送出し（ステップＳ２１２）、更に、該印刷ジョブの送出後は、上記ステップＳ２１３で更新済みの印刷部数（＝Ｎ）から、今回印刷指示した部数（＝ｎ）を減算することにより、印刷部数（残印刷部数）Ｎを（Ｎ＝Ｎ−ｎ）に更新し（ステップＳ２１２）、再度、ステップＳ２０９に戻る。
【００７１】
ここで、「色覚異常の程度」欄中、未検索の「程度」の欄が存在しないと判別された場合（ステップＳ２０９ＮＯ）、印刷ジョブ生成部１４２は、現時点の印刷部数〔直前のステップＳ２１３で更新された印刷部数（残印刷部数）〕Ｎを読み込む一方、上記ステップＳ２０２で印刷指示された文書情報（画像変換を施していないオリジナルの文書情報）を基に印刷データを生成すると共に、該印刷データを現時点の印刷部数Ｎに相当する数だけ印刷する処理命令を含む印刷ジョブを生成し、該印刷ジョブをプリンタ２０に送出（ステップＳ２１４）して、一連の印刷処理を終了する。
【００７２】
図８は、ホスト端末１０の印刷処理（図６参照）に基づくプリンタ２０での印刷出力例とその際の印刷指示操作例を示す概念図である。
【００７３】
この例は、配布先情報管理ＴＢ１３１に、例えば、図４に示す内容の配布先情報を登録したホスト端末１０を用いて、第一学年のＡ組の担任の先生が、該Ａ組の全員（例えば、４０人）に、文書情報「クラス便り」を印刷して配布する状況下での出力例を示している。
【００７４】
この場合、先生は、例えば、図８（ａ）に示すように、編集済みの文書情報の中から、同図に示す内容の文書情報「クラス便り」を選んで、印刷部数としてＡ組の人数分の部数（Ｎ＝４０部）を指定し、かつ、配布先として第一学年Ａ組を指定する印刷指示操作を行う。
【００７５】
一方、ホスト端末１０では、先生による図８（ａ）に示す印刷指示操作を受けて、図６のステップＳ２０２、Ｓ２０３及びＳ２０４で、それぞれ、文書情報「クラス便り」の選択、印刷部数＝４０部を含む印刷設定、及び第一学年Ａ組を配布先とした配布先指定の受付処理を行う。
【００７６】
その後、先生が印刷開始指示操作を行なうと、ステップＳ２０５でこれを認識したホスト端末１０が、ステップＳ２０７で配布先が“第一学年のＡ組”であることを認識する。
【００７７】
引き続き、ホスト端末１０は、ステップＳ２０９，Ｓ２１０を経て、該“Ａ組”に対応して配布先情報管理ＴＢ１３１に格納される「色覚異常の程度」の欄中、「程度１」に対応する人数が“０”でないことを認識し、次いで、ステップＳ２１１で、該「程度１」に対応する画像変換方法が、水色を灰色に、また、灰色をピンク色に変換する画像変換方法ａであることを認識し、ステップＳ２０２で選択された文書情報「クラス便り」中の水色オブジェクトと灰色オブジェクトを抽出して、当該各オブジェクトを、それぞれ、灰色とピンク色とに変換する画像変換処理を行う。
【００７８】
更に、ステップＳ２１１の処理に関連して、色覚異常の程度＝「程度１」に該当する人数が“２”であることを認識して、ステップＳ２１２では、上記画像変換方法ａに基づく画像変換後の文書情報「クラス便り」に基づく印刷データを生成して該印刷データを２部印刷する処理命令を含む印刷ジョブを生成してプリンタ２０に送出し、該プリンタ２０に、「色覚異常の程度＝程度１」の生徒用の「クラス便り」を２部印刷出力させる。
【００７９】
次いで、ステップＳ２１３で印刷部数Ｎを（Ｎ＝４０−２＝３８）に更新した後、再び、ステップＳ２０９，Ｓ２１０を経て、該“Ａ組”に対応して配布先情報管理ＴＢ１３１に格納される「色覚異常の程度」の欄中、「程度２」に対応する人数が“０”でないことを認識し、次いで、ステップＳ２１１で、該「程度２」に対応する画像変換方法が、青緑色を灰色に変換する画像変換方法ｂであることを認識し、ステップＳ２０２で選択された文書情報「クラス便り」中の青緑色オブジェクト灰色に変換する画像変換処理を行う。
【００８０】
更に、ステップＳ２１１の処理に関連して、色覚異常の程度＝「程度２」に該当する人数が“１”であることを認識して、ステップＳ２１２では、上記画像変換方法ｂに基づく画像変換後の文書情報「クラス便り」に基づく印刷データを生成して該印刷データを１部印刷する処理命令を含む印刷ジョブを生成してプリンタ２０に送出し、該プリンタ２０に、「色覚異常の程度＝程度２」の生徒用の「クラス便り」を１部印刷出力させる。
【００８１】
次いで、ステップＳ２１３で印刷部数Ｎを（Ｎ＝３８−１＝３７）に更新した後、再び、ステップＳ２０９，Ｓ２１０を経て、該“Ａ組”に対応して配布先情報管理ＴＢ１３１に格納される「色覚異常の程度」の欄中、「程度４」に対応する人数が“０”でないことを認識し、次いで、ステップＳ２１１で、該「程度４」に対応する画像変換方法が、赤色を緑色に変換する画像変換方法ｄであることを認識し、ステップＳ２０２で選択された文書情報「クラス便り」中の赤色オブジェクトを緑色に変換する画像変換処理を行う。
【００８２】
更に、ステップＳ２１１の処理に関連して、色覚異常の程度＝「程度４」に該当する人数が“３”であることを認識して、ステップＳ２１２では、上記画像変換方法ｄに基づく画像変換後の文書情報「クラス便り」に基づく印刷データを生成して該印刷データを３部印刷する処理命令を含む印刷ジョブを生成してプリンタ２０に送出し、該プリンタ２０に、「色覚異常の程度＝程度４」の生徒用の「クラス便り」を３部印刷出力させる。
【００８３】
次いで、ステップＳ２１３で印刷部数Ｎを（Ｎ＝３７−３＝３４）に更新した後、再びステップＳ２０９に移行し、ここで、該“Ａ組”に対応して配布先情報管理ＴＢ１３１に格納される「色覚異常の程度」の欄中、「程度５」以降に対応する人数が“０”であることを認識すると、更にステップＳ２１４に移行して現時点の印刷部数Ｎ＝３４を認識し、ステップＳ２０２で選択したオリジナルの文書情報「クラス便り」に基づく印刷データを生成して該印刷データを３４部印刷する処理命令を含む印刷ジョブを生成してプリンタ２０に送出し、該プリンタ２０に、色覚が正常な生徒用の「クラス便り」を３４部印刷出力させる。
【００８４】
この印刷処理の結果、第一学年のＡ組担当の先生が、「クラス便り」を選んで、印刷部数としてＡ組の人数分の部数（４０部）を指定し、かつ、配布対象としてＡ組を指定する印刷指示操作を行なうことにより〔図８（ａ）参照〕、該Ａ組に対応して図４に示す配布先情報管理ＴＢ１３１に格納される情報（色覚異常の程度１，２，４／人数＝２，１，３／画像変換方法ａ，ｂ，ｄ）に基づき、図８（ｂ）に示すように、オリジナルの「クラス便り」中の水色及び灰色のオブジェクトが、画像変換方法ａにより、それぞれ、灰色及びピンク色に変換された色覚異常の程度＝程度１の二人の生徒用の「学年便り」２３１ａを２部と、オリジナルの「クラス便り」中の青緑色のオブジェクトが画像変換方法ｂにより灰色に変換された色覚異常の程度＝程度２の一人の生徒用の「学年便り」２３１ｂを１部と、オリジナルの「クラス便り」中の赤色のオブジェクトが画像変換方法ｄにより緑色に変換された色覚異常の程度＝程度４の３人の生徒用の「学年便り」２３１ｄを３部と、画像の変換を行なわないオリジナルの文書情報に基づく色覚正常者である３６人の生徒用の「学年便り」２３１ｅを３４部とがプリンタ２０から印刷出力される。
【００８５】
その後、先生は、印刷物として出力された「学年便り」２３１ａは当該Ａ組の色覚異常の程度＝程度１の各生徒に、「学年便り」２３１ｂは色覚異常の程度＝程度２の生徒に、「学年便り」２３１ｄは色覚異常の程度＝程度４の各生徒に、「学年便り」２３１ｅは色覚正常者の各生徒に、それぞれ、配布することができる。
【００８６】
このように、実施例１に係わるホスト端末１０では、グループ（配布先）を指定した文書の印刷指示に際し、配布先情報管理ＴＢ１３１に保持された該グループに対応する分類別の画像変換方法で上記文書の画像変換を行う特性別画像変換処理部１４５を有し、印刷ジョブ生成部１４２が、特性別画像変換処理部１４５により画像変換された文書情報を、配布先情報管理ＴＢ１３１に保持されたグループの当該分類に属する人数に相当する部数づつ印刷させるように制御する。
【実施例２】
【００８７】
図９は、実施例２に係わる印刷システムの全体構成を示すブロック図である。
【００８８】
この印刷システムは、ホスト端末１０Ｂ、プリンタ２０及び印刷サーバ５０をＬＡＮケーブル等の伝送路３０を介して接続して構成される。
【００８９】
本実施例において、ホスト端末１０Ｂは、ＰＣ等によって実現され、例えば、図９に示すように、実施例１に係わるホスト端末１０から、配布先情報管理ＴＢ１３１、配布先情報管理部１４３、特性別画像変換処理部１４５の各機能を取り去った構成を有する。
【００９０】
かかる構成において、ホスト端末１０Ｂは、実施例１と同様、アプリケーション部１４１によりアプリケーションを起動し、文書を選択して編集画面上に表示し、印刷設定画面１２１（図７参照）を用いて印刷設定を行なう際、必要に応じて、配布先指定欄中のチェック・ボックスにチェックを入れ、コンボ・ボックスを操作して該文書情報に基づく印刷物の配布先を指定できるようになっている。
【００９１】
その後、印刷開始操作がなされると、印刷ジョブ生成部１４２は、該文書情報に基づき生成した印刷データと上記印刷設定に基づく処理命令を含む印刷ジョブを生成する。その際、上記印刷設定時に配布先指定が受付けられている場合は、該指定された配布先の情報を上記印刷ジョブに付加して印刷サーバ５０に送信する。
【００９２】
すなわち、本実施例に係わるホスト端末１０Ｂは、印刷サーバ５０に対して、配布先（グループ）を指定した文書の印刷指示を行う印刷指示機能を有する。
【００９３】
一方、印刷サーバ５０は、コンピュータ等の情報処理装置により実現され、例えば、図１０に示すように、伝送路３０を介してホスト端末１０Ｂやプリンタ２０と通信する際の通信インタフェースを司る通信インタフェース（Ｉ／Ｆ）部５１、動作プログラム等の各種情報を記憶する記憶部５３、装置全体の制御を行う制御部５５を具備して構成される。
【００９４】
印刷サーバ５０において、記憶部５３には、配布先情報管理テーブル（ＴＢ）５３１が設けられる。配布先情報管理ＴＢ５３１には、実施例１に係わるホスト端末１０の記憶部１３に設けられる配布先情報管理ＴＢ１３１と同等の配布先情報が格納されている。
【００９５】
また、印刷サーバ５０の制御部５５には、印刷ジョブ（ＪＯＢ）送受信部５５１、配布先判定部５５２、印刷制御部５５３、特性別画像変換処理部５５４及び配布先情報管理部５５５が設けられる。
【００９６】
印刷ジョブ（ＪＯＢ）送受信部５５１は、ホスト端末１０Ｂから送出される印刷ジョブの受信と、プリンタ２０に対する印刷ジョブの送信を通信  Ｉ／Ｆ部５１を介して行なう。
【００９７】
配布先判定部５５２は、ホスト端末１０Ｂから受信した印刷ジョブに付加される配布先の情報を抽出し、配布先を判定する。
【００９８】
印刷制御部５５３は、ホスト端末１０Ｂから受信した印刷ジョブに基づく通常の印刷制御の他、該受信した印刷ジョブから配布先判定部５５２により抽出、判別された配布先に対応して配布先情報管理ＴＢ５３１に保持（登録）されている配布先情報に従って、該印刷ジョブ中の印刷データ（ユーザにより印刷指示された文書情報に相当）に基づく後述の特性別画像変換印刷（図１１のステップＳ３０４〜Ｓ３１０参照）を実行する制御機能を併せ持つ。
【００９９】
特性別画像変換処理部５５４は、実施例１に係わるホスト端末１０における特性別画像変換処理部１４５と同等の機能を有するものであり、配布先判定部５５２により受信印刷ジョブから抽出、判別された配布先に対応して配布先情報管理ＴＢ５３１保持されている当該配布先の分類別に当該各分類に対応する画像変換方法により文書情報（受信印刷ジョブ中の印刷データ：ホスト端末１０Ｂで印刷指示された文書情報に相当）の画像変換処理を行う。
【０１００】
配布先情報管理部５５５は、例えば、ホスト端末１０Ｂで所定の登録設定画面を用いて入力された、グループ名、該グループの構成員の分類別の人数、及び、該分類別の画像変換方法の設定要求を受付け、該設定要求された各項目の情報を配布先情報管理ＴＢ５３１の該当項目に登録、更新する処理を行う。
【０１０１】
図１１は、本実施例に係わる印刷サーバ５０の印刷処理動作を示すフローチャートである。
【０１０２】
図１１に示すように、印刷サーバ５０では、待機中、ホスト端末１０Ｂから印刷ジョブを受信したか否かを監視している（ステップＳ３０１）。
【０１０３】
ここで、印刷ジョブ送受信部５５１を通じて印刷ジョブが受信されると（ステップＳ３０１ＹＥＳ）、配布先判別５５２は、該印刷ジョブに配布先の情報が含まれているか否かをチェックし（ステップＳ３０２）、配布先の情報が含まれていない場合（ステップＳ３０２ＮＯ）は、通常の印刷制御（ステップＳ３２１）を行う。
【０１０４】
この通常の印刷制御において、印刷制御部５５３は、上記ステップＳ３０１でホスト端末１０Ｂから受信した印刷ジョブを、印刷ジョブ送受信部５５１を通じてプリンタ２０に送出し、該プリンタ２０に該印刷ジョブに基づき印刷物（文書情報に対応する画像）を指定部数分印刷出力させる。
【０１０５】
これに対し、ホスト端末１０Ｂから受信した印刷ジョブに配布先の情報が含まれている場合（ステップＳ３０２ＹＥＳ）、配布先判別部５４５２が該配布先の情報を抽出して該配布先を判別する（ステップＳ３０３）。
【０１０６】
これ以後、印刷サーバ５０では、印刷制御部５５２と特性別画像変換処理部５５４とが協働し、例えば、特性別画像変換処理部５５４が、ステップＳ３０３で判別された配布先（ある学級）に対応して配布先情報管理ＴＢ５３１に保持されている該配布先（学級）に対応する分類（色覚異常の程度）別の画像変換方法で文書情報の画像変換を行なう一方、印刷制御部５５３が、特性別画像変換処理部５５４により各分類毎に画像変換された文書情報を、配布先情報管理ＴＢ５３１に保持された該グループの当該分類に属する人数に相当する部数づつプリンタ２０により印刷出力させるように印刷制御する（ステップＳ３０４〜Ｓ３１０）。
【０１０７】
このステップＳ３０５〜Ｓ３１０での一連の特性別画像変換連続印刷制御は、実施例１に係わるホスト端末１０における、図６のステップＳ２０８〜Ｓ２１４に示した一連の処理と同様であるため、ここでの詳しい説明は割愛する。
【０１０８】
図１１に示す印刷処理機能を有する印刷サーバ５０を配置した本実施例の印刷システムによれば、第一学年のＡ組担当の先生が、実施例１と同様、ホスト端末１０Ｂを用いて、「クラス便り」を選んで、印刷部数としてＡ組の人数分の部数（４０部）を指定し、かつ、配布対象としてＡ組を指定する印刷指示操作を行なった場合、印刷サーバ５０では、配布対象がＡ組であることを判別し、該Ａ組に対応して配布先情報管理ＴＢ５３１に格納される情報（色覚異常の程度１，２，４／人数＝２，１，３／画像変換方法ａ，ｂ，ｄ：情報内容は図４における配布先情報管理ＴＢ１３１と同じ）に基づき、図８（ｂ）に示す通りの内訳（実施例１と同様）で、色覚異常の程度＝程度１の生徒用に２部、色覚異常の程度＝程度２の生徒用に１部、色覚異常の程度＝程度４の生徒用に３部、色覚正常者である生徒用に３４部の合計４０部の「学年便り」をプリンタ３０で連続的に印刷出力させる制御が行なわれる。
【０１０９】
このように、実施例２では、ホスト端末１０Ｂから印刷サーバ５０に対し、グループ（配布先）を指定した文書の印刷指示を行ない、印刷サーバ５０では、ホスト端末１０Ｂからのグループを指定した文書の印刷指示の受付けに際し、特性別画像変換処理部５５４が配布先情報管理ＴＢ５３１に保持された該グループに対応する分類別の画像変換方法で上記文書の画像変換を行い、印刷制御部５５３が、特性別画像変換処理部５５４により画像変換された文書情報を、配布先情報管理ＴＢ５３１に保持された当該分類に属する人数に相当する部数づつプリンタ２０により印刷させる印刷制御を行なう。
【０１１０】
この他、本発明は、上記し、且つ図面に示す実施例に限定することなく、その要旨を変更しない範囲内で適宜変形して実施できるものである。
【０１１１】
例えば、実施例１では、配布先を指定し、該配布先のグループの構成員の分類別に該分類に対応した画像変換して該分類に属する人数分印刷制御しているが、配布先情報管理ＴＢ１３１に１つのグループに関する配布先情報しか登録していない（グループを選択する余地がない）ケースでは、特性別画像変換連続印刷モードで印刷することを選択的に指定し、該モードが指定された場合に、上述した特性別画像変換連続印刷を実行するようにしても良い。
【０１１２】
この場合には、例えば、図７に示す印刷設定画面１２１中、配布先指定の欄に、“画像変換印刷指定”チェック・ボックスのみを有する印刷設定画面を用い、該チェック・ボックスにチェックを入れるか否かにより、特性別画像変換連続印刷を行なうか否かを指示する構成としても良い。
【０１１３】
また、上記各実施例では、グループ（学年や学級）における色覚異常者の色覚異常の程度に対応してその人数と色画像変換方法とを情報保持手段に保持する例を挙げたが、保持手段に保持するグループに関する情報は、色覚異常に関する情報に限らず、他の情報であっても良い。
【０１１４】
要は、本発明は、グループに対応して、該グループ構成員の分類別の人数と、該分類別の画像変換方法を保持する保持手段を有し、グループを指定した文書の印刷指示に際し、保持手段に保持された該グループに対応する分類別の画像変換方法で文書の画像変換を行ない、該分類別に画像変換された文書情報を、保持手段に保持された当該分類に属する人数に相当する部数づつ印刷制御する情報処理装置、印刷システム全般に適用できる。
【０１１５】
これにより、例えば、保持手段に、ある会社の社員の役職区分別にその人数の情報を保持しておき、この会社を配布先として指定した文書情報の印刷指示が行われた場合、該文書情報を、役職者については対応する数分、カラーで印刷し、一般社員については、対応する数分、白黒で印刷させる印刷システムにも適用できる。
【０１１６】
また、上記実施例では、ホスト端末１０，１０Ｂや印刷サーバ５０（以上、コンピュータ）に印刷制御プログラムを実装し、該プログラムに基づき、当該ホスト端末１０，１０Ｂや印刷サーバ５０に、グループを指定した文書の印刷指示に際し、保持手段に保持された該グループに対応する分類別の画像変換方法で文書の画像変換を行う画像変換ステップと、画像変換ステップにより画像変換された文書情報を、保持手段に保持された当該分類に属する人数に相当する部数づつ印刷制御する印刷制御ステップとを含む印刷制御を実行させるようにしているが、当該印刷制御プログラムをＣＤＲＯＭ等の記憶媒体に格納して提供するようにしても良い。
【産業上の利用可能性】
【０１１７】
本発明は、ＰＣや、ＰＣからの印刷指示に基づき印刷制御を行う印刷サーバ等の情報処理装置、ＰＣ及びプリンタと印刷サーバを接続した印刷システム、ＰＣや印刷サーバに実装する印刷制御プログラムに適用できる。
【図面の簡単な説明】
【０１１８】
【図１】実施例１に係わる印刷システムの全体構成を示すブロック図。
【図２】実施例１に係わるホスト端末の機能構成を示すブロック図。
【図３】実施例１に係わるプリンタの機能構成を示すブロック図。
【図４】実施例１の配布先情報管理テーブルに登録される配布先情報の一例を示す表図。
【図５】ホスト端末の配布先情報の登録（更新）処理を示すフローチャート。
【図６】実施例１のホスト端末における印刷処理動作を示すフローチャート。
【図７】実施例１に係わる印刷設定画面の表示例を示す図。
【図８】実施例１の印刷処理に基づく印刷出力例と印刷指示操作例を示す概念図。
【図９】実施例２に係わる印刷システムの全体構成を示すブロック図。
【図１０】実施例２に係わる印刷サーバの機能構成を示すブロック図。
【図１１】実施例２の印刷サーバにおける印刷処理動作を示すフローチャート。
【符号の説明】
【０１１９】
１０，１０Ｂ…ホスト端末（ＰＣ）、１１…入力／操作部、１２…表示部、１２１…印刷設定画面、１３…記憶部、１３１…配布先情報管理テーブル（ＴＢ）、１４，１４ｂ…制御部、１４１…アプリケーション部、１４２…印刷ジョブ生成部、１４３…配布先情報管理部、１４４…配布先指定制御部、１４５…特性別画像変換処理部、１５…外部インタフェース（Ｉ／Ｆ）部、１５ｂ…通信インタフェース（Ｉ／Ｆ）部、２０…プリンタ、２１…外部インタフェース（Ｉ／Ｆ）部、２２…記憶部、２３…画像形成部、２４…表示／操作部、２５…制御部、２５１…印刷ジョブ解析部、２５２…印刷制御部、３０…伝送路、５０…印刷サーバ、５１…通信インタフェース（Ｉ／Ｆ）部、５３…記憶部、５３１…配布先情報管理テーブル（ＴＢ）、５５…制御部、５５１…印刷ジョブ送受信部、５５２…配布先判別部、５５３…印刷制御部、５５４…特性別画像変換処理部、５５５…配布先情報管理部
【図１】
2008090721.tif 000003
【図２】
2008090721.tif 000004
【図３】
2008090721.tif 000005
【図４】
2008090721.tif 000006
【図５】
2008090721.tif 000007
【図６】
2008090721.tif 000008
【図７】
2008090721.tif 000009
【図８】
2008090721.tif 000010
【図９】
2008090721.tif 000011
【図１０】
2008090721.tif 000012
【図１１】
2008090721.tif 000013